(57)【要約】【課題】小径コインなどが投入された場合に、当該コインを確実に外部に排出してコイン詰まりなどを回避可能なコイン型記憶媒体の処理機を提案すること。【解決手段】コイン処理ユニット２０（処理機）はＩＣ搬送用のポケットを備えたコイン搬送ローター２７を備え、ＩＣコインを返却する場合には、出口補助通路片３５をＩＣコイン搬送経路上に突出させ、第２回転位置Ｂに至ったポケットから転がり出たＩＣコインを、当該出口補助通路片３５によってコイン出口通路３０に案内する。小径コインなどが投入された場合にも、出口補助通路片３５によってそのようなコインを確実にコイン出口通路３０から排出できる。【選択図】図４
2007075462.tif 000002
【特許請求の範囲】
【請求項１】
コイン型記憶媒体が投入されるコイン入口通路と、
コイン型記憶媒体を排出するためのコイン出口通路と、
コイン型記憶媒体を下端開口部から受け入れて１枚ずつ直径方向に積み上げた状態に収納可能なコイン収納部と、
１枚のコイン型記憶媒体を外周側から受け入れ可能なポケットを少なくとも一つ備え、回転に伴って、当該ポケットが前記コイン入口通路に連通した第１回転位置、前記コイン出口通路に連通した第２回転位置、および前記コイン収納部の前記下端開口部に連通した第３回転位置を経由して移動するコイン搬送ローターと、
前記ポケットにより搬送されるコイン型記憶媒体の搬送経路上に進退可能な状態で配置され、前記搬送経路に進出した状態では前記第２回転位置に至ったコイン型記憶媒体を前記コイン出口通路に導く出口補助通路部材とを有していることを特徴とするコイン型記憶媒体の処理機。
【請求項２】
請求項１において、
前記コイン出口通路を開閉するコイン出口シャッタと、
前記コイン出口シャッタを開ける動作に連動して前記出口補助通路部材を前記搬送経路上に進出させ、前記コイン出口シャッタを閉じる動作に連動して前記出口補助通路部材を前記搬送経路上から退避させる駆動機構とを有していることを特徴とするコイン型記憶媒体の処理機。
【発明の詳細な説明】
【技術分野】
【０００１】
本発明は、遊技媒体の貸し出し処理をコイン型記憶媒体を用いたプリペイド方式により行う場合などに用いられるコイン型記憶媒体の処理機に関するものである。
【背景技術】
【０００２】
ＩＣメモリチップが内蔵されたＩＣコインなどのコイン型記憶媒体を用いたプリペイド方式により遊技媒体の貸し出し処理を行うことのできる遊技台用台間機が知られている。かかる遊技台用台間機では、コイン型記憶媒体の発行、返却、回収、および情報の読み書き処理を行う処理機が組み込まれており、利用者が紙幣などの金銭を投入すると、コイン型記憶媒体に投入金額が書き込まれたコイン型記憶媒体が発行される。コイン型記憶媒体を使用して遊技媒体の貸し出しを受けると、記憶されている金額が、貸し出し金額分だけ減算処理された値に更新され、また、残高が零になったコイン型記憶媒体は処理機に回収されるようになっている。
【０００３】
コイン型記憶媒体の処理機は、特許文献１、２に開示されている。これらの特許文献に開示されているコイン型記憶媒体の処理機は、周縁にコイン型記憶媒体を収納可能な凹部が形成されたローターを回転させることにより、コイン型記憶媒体を投入路から受け取り、リーダーライタによってその記憶情報を読み取る動作、コイン型記憶媒体を排出路から返却する動作、または、ストッカに収納する動作を行うように構成されている。また、ローターを逆回転させることにより、ストッカに収納されているコイン型記憶媒体を取り出して、リーダーライタによって金銭情報を書き込み、排出口から発行する動作を行うように構成されている。
【特許文献１】特開２００３−１３５８２９号公報
【特許文献２】特開２００５−３４２７９号公報
【発明の開示】
【発明が解決しようとする課題】
【０００４】
かかるコイン型記憶媒体の処理機では、コイン型記憶媒体がその自重によって移動するように搬送経路が配置され、コイン搬送用のローターも垂直に配置され水平軸線回りに回転して、上側の位置で、コイン型記憶媒体を受け入れ、下側の位置においてコイン型記憶媒体を排出口に向けて送り出すようになっている。
【０００５】
処理機に正規の大きさのコイン型記憶媒体が投入された場合には、コイン型記憶媒体はその自重によって各部分に受け渡されながら移動する。しかしながら、誤って小径のコインなどが投入された場合には、ローターによって排出口に至ったコインがローターのポケット(凹部)から自重により転がり出ることができず、そのままポケット内に残ったまま搬送されてしまい、コイン詰まりが発生するおそれがある。
【０００６】
このような弊害を回避するためには、コイン型記憶媒体を受け入れるローターのポケットを浅くし、コインが自重により転がり出やすくすることが望ましい。この場合、ローター外周面の外側に、凹部あるいはポケットから突出しているコイン型記憶媒体の部分が移動する一定幅の円形の搬送経路部分も確保しておく必要がある。
【０００７】
しかしながら、このような搬送経路部分があると、当該搬送経路部分の幅よりも小さな径のコインがローターのポケットから転がり出た場合には、当該搬送経路部分から落下してしまい、排出口から排出できない。また、搬送経路部分の幅よりも大きい径のコインであっても、正規のコイン型記憶媒体より小径の場合には、ローターのポケットから転がり出た後に当該搬送経路部分に嵌り、ローターの回転に伴って再びポケットに転がり込むおそれがある。
【０００８】
本発明の課題は、このような点に鑑みて、正規のコイン型記憶媒体より小径のコインが投入された場合に、そのようなコインを確実に外部に排出してコイン詰まりなどの不具合を回避可能なコイン型記憶媒体の処理機を提案することにある。
【課題を解決するための手段】
【０００９】
上記の課題を解決するために、本発明のコイン型記憶媒体の処理機は、
コイン型記憶媒体が投入されるコイン入口通路と、
コイン型記憶媒体を排出するためのコイン出口通路と、
コイン型記憶媒体を下端開口部から受け入れて１枚ずつ直径方向に積み上げた状態に収納可能なコイン収納部と、
１枚のコイン型記憶媒体を外周側から受け入れ可能なポケットを少なくとも一つ備え、回転に伴って、当該ポケットが前記コイン入口通路に連通した第１回転位置、前記コイン出口通路に連通した第２回転位置、および前記コイン収納部の前記下端開口部に連通した第３回転位置を経由して移動するコイン搬送ローターと、
前記ポケットにより搬送されるコイン型記憶媒体の搬送経路上に進退可能な状態で配置され、前記搬送経路に進出した状態では前記第２回転位置に至ったコイン型記憶媒体を前記コイン出口通路に導く出口補助通路部材とを有していることを特徴としている。
【００１０】
本発明では、コイン型記憶媒体をコイン出口通路から排出する場合には出口補助通路部材を搬送経路上に進出させればよい。このようにすれば、コイン搬送ローターのポケットから転がり出たコイン型記憶媒体が当該出口補助通路部材によって確実にコイン出口通路に案内される。したがって、小径の硬貨などのコインが投入された場合にも、当該出口補助通路部材によってそのようなコインを確実にコイン出口通路に案内できる。よって、誤って投入された小径のコインなどが、コイン搬送ローターのポケットから転がり出た後に搬送経路を落下して処理機内部に詰まってしまうという弊害を防止できる。
【００１１】
ここで、コイン型記憶媒体をコイン収納部に回収するために、コイン出口通路から排出することなく第３回転位置まで搬送できるようにするために、前記コイン出口通路にコイン出口シャッタが配置される。この場合には、前記コイン出口シャッタを開ける動作に連動して前記出口補助通路部材を前記搬送経路上に進出させ、前記コイン出口シャッタを閉じる動作に連動して前記出口補助通路部材を前記搬送経路上から退避させる駆動機構を配置すればよい。
【発明の効果】
【００１２】
本発明のコイン型記憶媒体の処理機では、コイン搬送ローターのポケットからコイン出口通路にコイン型記憶媒体を案内する出口補助通路部材を備えている。したがって、コイン型記憶媒体を確実にコイン出口通路に案内することができると共に、小径のコインなどが誤って投入された場合に、そのようなコインがコイン搬送ローターのポケットから転がり出て搬送経路を落下して処理機内部に詰まってしまうという弊害も確実に回避できる。
【発明を実施するための最良の形態】
【００１３】
以下に、図面を参照して、本発明を適用した遊技台用台間機の一例を説明する。
【００１４】
(全体構成)
図１は遊技台用台間機の分解斜視図であり、本例の遊技台用台間機は、会員遊技者用のＩＣカードと一般遊技者(ビジター)用のＩＣコインを用いたプリペイド方式により遊技媒体の貸し出し処理を行うことができるものである。図２(ａ)は遊技台用台間機の側面図であり、図２(ｂ)はＡ方向から見た場合の部分矢視図である。また、図３は、遊技台用台間機に搭載されている処理装置の六面図である。
【００１５】
図１、２に示すように、遊技台用台間機１は、遊技店の遊技島に配列されている遊技台(図示せず)の間の縦長の狭い隙間に、前向きの垂直姿勢で遊技島枠(図示せず)に取り付けられる台間機ホルダ２と、この台間機ホルダ２に対して前方から着脱可能な状態で装着される台間機本体３とから構成されている。
【００１６】
台間機本体３は、全体として縦長の扁平な直方体形状のシャーシ４を備えており、このシャーシ４には、その上側から紙幣識別機５、制御ボックス６および電源ボックス７がこの順序に取り付けられている。シャーシ４の前面には前面パネル８が取り付けられており、当該前面パネル８には上側から、多機能ランプ８ａ、紙幣入口８ｂ、ＩＣカードやＩＣコインの残高などを表示するための表示部８ｃ、会員が再プレイする際に暗証番号などを入力するために用いるテンキー８ｄ、ＩＣコインを投入するコイン投入口８ｅ、ＩＣコインを排出するコイン出口８ｆがこの順序で配置されており、コイン出口８ｆの隣接位置にはＩＣカード挿入口８ｇが配置されている。
【００１７】
制御ボックス６には、図１、３に示す処理装置１０が組み込まれている。処理装置１０は、ＩＣコインの発行、返却、回収および情報のリードライトを行う扁平なコイン処理ユニット２０(コイン型記憶媒体の処理機)と、このコイン処理ユニット２０の側面に形成した水平な矩形の凹部２１に組み付けられているＩＣカードのリードライトを行うカード処理ユニット１００とを備えている。図２から分かるように、コイン処理ユニット２０の背面の上半部分には上下にガイド穴１４ａ、１４ｂが形成されており、これらの間には通信用の本体側コネクタ１５が後ろ向きに配置されている。
【００１８】
一方、台間機ホルダ２は、図１、２に示すように、縦枠２ａと、その上下の端から直角に折れ曲がって前方に延びている上下のガイド板２ｂ、２ｃとを備えている。縦枠２ａには外部通信用の中継基板１６が取り付けられている。中継基板１６には上下一対のガイドピン１７ａ、１７ｂが前方に突出しており、これらの間には通信用のホルダ側コネクタ１８が前向きに取り付けられている。本例では、取付板１９によって、中継基板１６が上下方向に僅かにスライド可能な状態で、縦枠２ａに取り付けられている。
【００１９】
台間機ホルダ２の上下のガイド板２ｂ、２ｃの間に台間機本体３を位置決めして、これらのガイド板２ｂ、２ｃに沿って台間機本体３を押し込むと、先細り形状のガイドピン１７ａ、１７ｂの先端部がガイド穴１４ａ、１４ｂに差し込まれ、この後は、台間機本体３の差込動作によって、本体側コネクタ１５がホルダ側コネクタ１８に自動的に位置決めされる。本例では、中継基板１６の側が上下にスライド可能であるので、中継基板１６に搭載されているホルダ側コネクタ１８が上下にスライドして、双方が自動的に位置決めされる。よって、台間機本体３を台間機ホルダ２に差し込むと、本体側コネクタ１５がホルダ側コネクタ１８に差し込まれて接続された状態が自動的に形成される。
【００２０】
(コイン処理ユニット)
図４はコイン処理ユニット２０の内部構造を示す説明図であり、以下に、図３および図４を参照してコイン処理ユニット２０の構成を説明する。コイン処理ユニット２０は、扁平なユニットケース２３を備えており、その前面２３ａには、遊技台用台間機１の前面パネル８のコイン投入口８ｅおよびコイン出口８ｆにそれぞれ連通するコイン入口２４およびコイン出口２５が形成されている。ユニットケース側面にはカード処理ユニット１００を組み付けるための凹部２１が形成されており、ここに、カード処理ユニット１００が装着されている。
【００２１】
ユニットケース２３の内部には、コイン入口２４から投入されたＩＣコインＣａを案内するためのコイン入口通路２６が形成されている。コイン入口通路２６は１枚のＩＣコインが立った状態で通過可能な大きさのものであり、コイン入口２４から後方に向かって僅かに下方に傾斜している部分と、この先から下方に湾曲して大きく傾斜している部分とを備え、ＩＣコインが自重によってその通路底面２６ａに沿って滑落可能となっている。
【００２２】
コイン入口通路２６の下端開口部２６ｂは下方に向いており、この真下には、コイン搬送ローター２７が支軸２８を中心として回転自在の状態で配置されている。コイン搬送ローター２７は、円形のローター表面に１２０度間隔で３枚の腕２７ａが放射状に形成されており、これらの腕２７ａの厚さはＩＣコインとほぼ同一厚さであり、各腕２７ａの間に、１枚のＩＣコインを受け入れ可能なポケット２７(１)、２７(２)、２７(３)が形成されている。
【００２３】
コイン入口通路２６の通路底面２６ａの下端に連続して、支軸２８を中心とする円弧状のコインガイド用内周面２９が形成されている。ポケット２７(１)〜２７(３)に受け入れられたＩＣコインは、コイン搬送ローター２７が回転すると、ポケット２７(１)〜２７(３)に入った状態で当該コインガイド用内周面２９に沿って搬送される。すなわち、ポケットとコインガイド用周面２９によってＩＣコインの搬送経路が規定されている。
【００２４】
次に、コイン出口２５にはコイン出口通路３０が連通しており、このコイン出口通路３０はコイン出口２５に向けて下方に傾斜した通路であり、ＩＣコインが自重によって滑落してコイン出口２５から排出可能となっている。このコイン出口通路３０はコインガイド用内周面２９に形成した開口部３０ａに連通している。この開口部３０ａは、コイン入口通路２６の下端開口部２６ｂの直下の位置(第１回転位置Ａ)からポケット２７(１)〜２７(３)が６０度回転した位置(第２回転位置Ｂ)に形成されている。
【００２５】
一方、コイン搬送ローター２７の後側にはコイン収納部３１が配置されている。コイン収納部３１は、ＩＣコイン１枚分を通すことのできる通路から形成されており、ＩＣコインを立てた状態で下端開口部３１ａから送り込むようになっている。本例のコイン収納部３１は最大で９枚のＩＣコインを収納可能であり、上下方向に直線状に延びる垂直収納通路部分３１ｂと、この下側に連続して後方に湾曲して再び前方に戻る湾曲収納通路部分３１ｃと、この下側に連続して下端開口部３１ａに至る傾斜収納通路部分３１ｄとを備えている。傾斜収納通路部分３１ｄにおける傾斜角度θは、ここに収納されるＩＣコインが自重によって下端開口部３１ａまで滑落可能な角度に設定されている。通常は１０度〜３０度の範囲内とすればよい。本例では、この角度θがほぼ２０度とされている。
【００２６】
ここで、コイン収納部３１の下端開口部３１ａは、コイン入口通路２６の下端開口部２６ｂの直下の位置(第１回転位置Ａ)からポケット２７(１)〜２７(３)が２４０度回転した位置(第３回転位置Ｃ)に対峙する位置に開口している。この位置においては、コイン収納部３１の湾曲収納通路部分３１ｃを規定している下側の端面３１ｅがそのまま直線状に延びてコインガイド用内周面２９に連続している。
【００２７】
このように、本例のコイン処理ユニット２０のコイン収納部３１は、湾曲収納通路部分３１ｃおよび傾斜収納通路部分３１ｄを備えており、傾斜収納通路部分３１ｄからコイン搬送ローター２７の第３回転位置Ｃに位置しているポケット２７(１)〜２７(３)にＩＣコインをその自重によって送り込むようになっている。すなわち、ＩＣコインは、コイン搬送ローター２７の上側からではなく、その回転中心(支軸２８)よりも低い横方から、傾斜路に沿って送り込まれる。したがって、コイン収納部３１に収納されているＩＣコインの全荷重がコイン搬送ローター２７に作用することがなく、コイン搬送ローター２７の負荷を大幅に軽減できる。
【００２８】
次に、コイン入口２４に連通しているコイン入口通路２６の部位にはコイン入口シャッタ３２が配置されている。コイン入口シャッタ３２はＩＣコインおよびＩＣカードが投入されていない状態ではコイン入口通路２６から退避しているが、これらが投入されるとコイン入口通路２６内に突出して当該通路を遮断し、コイン入口２４からＩＣコインの投入ができないようにするためのものである。このコイン入口シャッタ３２はソレノイド３３によって駆動される。
【００２９】
コイン出口２５に連通しているコイン出口通路３０にも、ここを開閉するためのコイン出口シャッタ３４が配置されている。コイン出口シャッタ３４がコイン出口通路３０を遮断した状態においては、コインガイド用内周面２９の一部が当該シャッタによって形成された状態になる。
【００３０】
コイン出口通路３０の開口部３０ａの下端近傍には、ポケット２７(１)〜２７(３)からコイン出口通路３０にＩＣコインを導くためのコイン出口補助通路片３５が配置されている。このコイン出口補助通路片３５は、コイン出口シャッタ３４がコイン出口通路３０内に突出して当該通路を遮断すると、ポケットによるＩＣコインの搬送経路上から退避する。また、コイン出口シャッタ３４がコイン出口通路３０を開放すると、搬送経路から退避してＩＣコインをコイン出口通路側に案内する。これらコイン出口シャッタ３４およびコイン出口補助通路片３５は、共通のソレノイド３６によって駆動される。これらの詳細構造については図５を参照して後述する。
【００３１】
次に、コイン搬送ローター２７は、そこに同心状に取り付けたメインギヤ３７、このメインギヤ３７に噛み合っているウォームホイール３８、このウォームホイール３８に噛み合っているウォーム３９および当該ウォーム３９が出力軸に固着されている駆動モータ４０を備えた駆動機構によって駆動される。メインギヤ３７の回転位置はメインギヤセンサ４１によって検出され、これに基づき、コイン搬送ローター２７の回転位置、すなわち、各ポケット２７(１)〜２７(３)の回転位置が制御される。
【００３２】
ここで、本例のコイン処理ユニット２０では、次のように、ＩＣコインを検知するためのコインセンサが配置されている。まず、コイン入口通路２６におけるコイン入口２４の近傍位置にコイン入口センサ４２が取り付けられており、コイン入口センサ４２によって投入ＩＣコインが検出される。コイン出口通路３０におけるコイン出口２５の近傍位置にはコイン出口センサ４３が配置されており、これにより排出されるＩＣコインが検出される。また、コイン搬送ローター２７の各ポケット２７(１)〜２７(３)の第１回転位置Ａには、コイン検知センサ４４が配置されている。このコイン検知センサ４４によって、第１回転位置Ａに位置しているポケットにＩＣコインが受け入れられているか否かが検出される。
【００３３】
さらに、コイン収納部３１には２箇所にコイン収納センサ４５、４６が配置されている。コイン収納センサ４５はコイン収納部３１の下端開口部３１ａの近傍に配置されており、当該コイン収納部３１の最も下の位置に収納されているＩＣコインを検出するためのものである。コイン収納センサ４６は、湾曲収納通路部分３１ｃの上端側に配置されており、コイン収納部３１に収納されている下から４枚目のＩＣコインを検出するためのものである。
【００３４】
一方、ポケット２７(１)〜２７(３)の第１回転位置Ａは、ＩＣコインの記憶情報の読取および当該ＩＣコインに情報の書き込みを行う読み書き位置である。当該第１回転位置Ａの近傍位置には図において点線で示すように、情報読み書き用のアンテナ４７が配置されている。先に述べたように、コイン処理ユニット２０の側面に形成された凹部２１にはカード処理ユニット１００が組みつけられており、アンテナ４７は当該カード処理ユニット１００におけるＩＣカードの読み書き用のアンテナに兼用されている。
【００３５】
このように、コイン処理ユニット２０およびカード処理ユニット１００が情報読み書き用のアンテナ４７を共用しているので、各ユニットに専用のアンテナを配置する場合に比べて、これらのコイン処理ユニット２０およびカード処理ユニット１００から構成される処理装置１０の小型化およびコンパクト化、ならびにコストの低減化に有利である。
【００３６】
ここで、本例のコイン処理ユニット２０のユニットケース２３には、図３に示すように、コインジャム解除カバー２２が着脱可能な状態で取り付けられている。このコインジャム解除カバー２２を取り外すと、コイン搬送ローター２７の各ポケット２７(１)〜２７(３)の移動経路が開放状態になる。したがって、コイン処理ユニット２０内においてコイン詰まりなどが生じた場合に、このカバー２２を取り外して、正常状態に復帰させることができる。
【００３７】
(コイン出口シャッタおよびコイン出口補助通路片の駆動機構)
図５はコイン出口シャッタ３４およびコイン出口補助通路片３５の駆動機構を示す説明図である。図５(ａ)〜(ｆ)はコイン出口シャッタ３４によってコイン出口通路３０が遮断されている状態を示し、図５(ｇ)〜(ｌ)はコイン出口通路３０が開放状態を示してある。コイン出口シャッタ３４は、コイン出口通路３０に進退可能な進退レバー５１に取り付けられている。進退レバー５１の上下の端部には、傾斜ガイド溝５１ａ、５１ｂが形成されており、ここには、上下に移動可能な連結レバー５２の上下の端部に取り付けたガイドピン５２ａ、５２ｂがスライド可能な状態で差し込まれている。連結レバー５２の下端はソレノイド３６の伸縮ロッドに連結されている。
【００３８】
コイン出口補助通路片３５は、支軸５３を中心として旋回可能な旋回レバー５４の先端に形成されており、支軸５３を中心として旋回することにより、コイン出口通路３０に対して進退可能である。旋回レバー５４は連結レバー５２に連結されており、当該連結レバー５２が下降すると、支軸５３を中心として、コイン出口補助通路片３５をコイン出口通路３０内に突出させる方向に旋回し、連結レバー５２が上昇すると、コイン出口通路３０から退避させる方向に旋回するようになっている。
【００３９】
図５(ａ)〜(ｆ)に示すコイン出口通路３０を遮断した状態においては、ソレノイド３６の伸縮ロッドが突出した位置にあり、そこに連結されている連結レバー５２は上昇位置にある。この状態では、進退レバー５１に取り付けられているコイン出口シャッタ３４はコイン出口通路３０に突出して当該通路を遮断した状態となっている。これに対して、コイン出口補助通路片３５は起立した状態にあり、コイン出口通路３０から退避した状態にある。この状態では、コイン搬送ローター２７のポケット２７(１)〜２７(３)によってＩＣコインを第１回転位置Ａから第２回転位置Ｂを経由して第３回転位置Ｃに搬送することが可能である。
【００４０】
ソレノイド３６を駆動してその伸縮ロッドを引き込み位置まで引き込むと、図５(ｇ)〜(ｌ)の状態に切り換わる。ソレノイド３６の伸縮ロッドを引き込むと、これに連結されている連結レバー５２が下降する。この結果、進退レバー５１が横方向に移動し、そこに取り付けられているコイン出口シャッタ３４がコイン出口通路３０から退避する。一方、連結レバー５２が下降すると、これに連結されている旋回レバー５４が支軸５３を中心として旋回して、その先端に形成されている出口補助通路片３５がコイン出口通路３０近傍のＩＣコイン搬送経路上に進出した状態になる。
【００４１】
この状態では、コイン出口通路３０が開放され、コイン出口補助通路片３５によってポケット２７(１)〜２７(３)に収納されているＩＣコインが第３回転位置の側に移動することが確実に阻止される。よって、コイン搬送ローター２７が回転して、ＩＣコインが収納されているポケット２７(１)〜２７(３)が第１回転位置Ａから第２回転位置Ｂに到ると、コイン出口通路３０の側に自重によって転がり出て、コイン出口２５から外部に排出される。
【００４２】
また、小径のコインが誤って投入された場合などにおいては、第２回転位置Ｂに至ったコイン搬送ローター２７のポケットから転がり出たコインが、当該ポケットとコイン出口通路３０の開口部３０ａの間の搬送経路部分から落下して、コイン詰まり状態になるおそれがある。本例では、コイン出口補助通路片３５がかかる搬送経路部分を封鎖しているので、小径コインなどの異物を確実にコイン出口通路３０から外部に排出できる。
【００４３】
(駆動制御系)
図６は、本例の遊技台用台間機１の駆動制御系を示す概略ブロック図である。駆動制御系は、制御ボックス６に搭載されているメイン制御部６１を備え、ここに記憶保持されている制御プログラムを実行することにより遊技媒体の貸し出し処理などの各種の制御を行う。メイン制御部６１にはメモリ６２が接続されていると共に、インタフェース６３を介して、多機能ランプ８ａ、表示部８ｃ、テンキー８ｄ、紙幣識別機５などに接続されている。また、メイン制御部６１にはユニット駆動制御部６４が接続されている。ユニット駆動制御部６４は、コイン処理ユニット２０およびカード処理ユニット１００を備えた処理装置１０を駆動制御するものであり、インタフェース６５を介して、各センサ４１〜４６、ソレノイド３３、３６、駆動モータ４０などに接続されている。また、メイン制御部６１は、コネクタ１５、１８を介して中継基板１６に接続されており、中継基板１６は通信回線を介して、隣接する遊技台の制御部６６、管理コンピュータ６７などに接続されている。
【００４４】
メイン制御部６１の制御の下で、ユニット駆動制御部６４は入力指令、センサ入力などに基づき、コイン処理ユニット２０およびカード処理ユニット１００の各部を駆動制御して、ＩＣコインの発行、返却、回収、情報の読み書きなどの処理動作と、ＩＣカードの情報の読み書きなどの処理動作を行う。
【００４５】
(コイン処理ユニットの概略動作)
図７を参照してコイン処理ユニット２０の処理動作の概要を説明する。状態Ｓ１は一般的なコイン処理ユニット２０の状態を示してあり、コイン収納部３１に複数枚のＩＣコインＣ１〜Ｃ４が収納されており、コイン搬送ローター２７は、ポケット２７(１)が第１回転位置Ａに位置してＩＣコインを受け入れ可能であり、ポケット２７(２)、２７(３)にはＩＣコインＣ５、Ｃ６が収納されており、ポケット２７(３)はコイン収納部３１の下端開口部３１ａに連通した第３回転位置Ｃに位置している。
【００４６】
この状態においてコイン入口２４からＩＣコインＣａが投入されると、投入されたＩＣコインＣａはコイン入口通路２６を自重によって滑落して、コイン搬送ローター２７のポケット２７(１)に受け入れられる。ＩＣコインＣａの投入がコイン入口センサ４２によって検出されると、コイン入口シャッタ３２が閉じる。ポケット２７(１)に入ったＩＣコインＣａはその隣接位置に配置されているアンテナ４７によって記憶情報が読み出される。プリペイド残高がある場合には遊技媒体の貸し出しが可能であり、貸し出し指令を受けると遊技台用台間機１によって遊技媒体の貸し出し処理が行われる。遊技媒体の貸し出し処理を行った後はプリペイド残高から貸し出し料を減算し、減算後の残高をＩＣコインＣａに書き込む。
【００４７】
遊技終了後などにＩＣコインＣａの返却指令が入力されると、プリペイド残高を確認し、残高が零の場合には、状態Ｓ２に示すように、ＩＣコインＣａを返却することなく、内部に回収する。すなわち、コイン搬送ローター２７を正方向(図７における時計回り)に１２０度回転させ、ＩＣコインＣａが収納されているポケット２７(１)を第１回転位置Ａから１２０度回転した位置に移動する。この回転により、ポケット２７(３)に収納されていたＩＣコインＣ５がコイン収納部３１に下側から送り込まれて、ポケット２７(３)は空の状態になる。
【００４８】
ＩＣコインＣａの残高が零でない場合には、返却指令が入力されると、状態Ｓ３に示すように、ＩＣコインＣａをコイン出口２５から返却する返却動作が行われる。この返却動作では、コイン出口シャッタ３４が開き、コイン出口補助通路片３５がコイン出口通路３０に進出した状態とされ、コイン搬送ローター２７を正方向に６０度回転させ、ポケット２７(１)をコイン出口通路３０に連通した位置とする。この結果、ポケット２７(１)からＩＣコインＣａが自重により転がり出て、コイン出口補助通路片３５に案内されて、コイン出口通路３０を通って、コイン出口２５から返却される。
【００４９】
次に、状態Ｓ４において、紙幣が投入され、紙幣識別機によって入金額が検出されると、コイン搬送ローター２７を１２０度だけ逆回転させて、ポケット２７(２)を第１回転位置Ａまで戻し、Ｓ５の状態とする。この状態において、ポケット２７(２)に入っているＩＣコインＣ７に対して、アンテナ４７を用いて、入金金額の書き込みを行う。この後に、ＩＣコインの返却指令が入力されると、状態Ｓ３に移行して、ＩＣコインＣ７の発行動作を行う。
【００５０】
なお、図７における状態Ｓ６はＩＣコインの満杯状態を示し、本例では９枚のＩＣコインＣ１〜Ｃ９がコイン処理ユニット２０内に収納可能である。また、図７の状態Ｓ７はＩＣコイン無しの状態を示してある。
【図面の簡単な説明】
【００５１】
【図１】本発明を適用した遊技台用台間機の分解斜視図である。
【図２】図１の遊技台用台間機の側面図、およびその矢印Ａの方向から見た部分矢視図である。
【図３】図１の遊技台用台間機に組み込まれている処理装置を示す側面図、平面図、底面図、裏面図、正面図および側面図である。
【図４】図１の遊技台用台間機に組み込まれているコイン処理ユニットの内部構造を示す説明図である。
【図５】図４のコイン処理ユニットにおけるコイン出口シャッタおよびコイン出口補助通路片の駆動機構を示す説明図である。
【図６】図１の遊技台用台間機の駆動制御系を示す概略ブロック図である。
【図７】図４のコイン処理ユニットの主要動作を示す説明図である。
【符号の説明】
【００５２】
１  遊技台用台間機
２  台間機ホルダ
３  台間機本体
６  制御ボックス
１０  処理装置
２０  コイン処理ユニット
２１  凹部
２２  コインジャム解除カバー
２３  ケース
２４  コイン入口
２５  コイン出口
２６  コイン入口通路
２６ｂ  下端開口部
２７  コイン搬送ローター
２７(１)〜２７(３)  ポケット
２７ａ  腕
Ａ  第１回転位置
Ｂ  第２回転位置
Ｃ  第３回転位置
２９  コインガイド用内周面
３０  コイン出口通路
３１  コイン収納部
３１ａ  下端開口部
３２  コイン入口シャッタ
３４  コイン出口シャッタ
３５  出口補助通路片
３６  ソレノイド
４５、４６  コイン収納センサ
４７  アンテナ
５１  進退レバー
５２  連結レバー
５４  旋回レバー
６１  メイン制御部
６２  メモリ
６３、６５  インタフェース
６４  ユニット駆動制御部
Ｃ１〜Ｃ９、Ｃａ  ＩＣコイン
【図１】
2007075462.tif 000003
【図２】
2007075462.tif 000004
【図３】
2007075462.tif 000005
【図４】
2007075462.tif 000006
【図５】
2007075462.tif 000007
【図６】
2007075462.tif 000008
【図７】
2007075462.tif 000009